(57)【要約】【課題】ショート丈のジャンバーやジャケットなどにも用いることができ、乳児を冷気から完全に保護することができる、育児期に適した上着及び育児用の補助布を提供する。【解決手段】上着本体１へ着脱可能とされた補助布２を備え、この補助布２は、上方に幅狭部２１が、下方に幅広部２２が設けられたものであり、上記の幅狭部２１は、左右両端辺に、上着本体１の上着本体側分割部１２に対して結合及び分離可能な留め具２３を備え、上記の幅広部２２は、上記の幅狭部２１よりも相対的に幅広に形成されたものであって、補助布２が上着本体１に取り付けられた際において、幅広部２２の上端辺２２ａが、上着本体１の身頃１１の下端辺１１ｃよりも上方に位置するものであり、かつ、幅広部２２の下端辺２２ｂが、抱かれた、あるいは背負われた状態にある乳児Ｂの脚部の下端よりも下方に位置する。【選択図】図４
2008045252.tif 000002
【特許請求の範囲】
【請求項１】
乳児（Ｂ）を育児者（Ｍ）の身体前方にて抱いた状態、あるいは、身体後方にて背負った状態のまま着用できる、育児期に適した上着において、
上着本体（１）と、この上着本体（１）へ着脱可能とされた補助布（２）とを備え、
上記の上着本体（１）の前身頃（１１）と後身頃とのうち少なくとも一方には、上記の補助布（２）を挿入するために、上記身頃（１１）の左側片（１１ａ）と右側片（１１ｂ）とを結合及び分離可能とした上着本体側分割部（１２）を備え、
上記の補助布（２）は、上方に幅狭部（２１）が、下方に幅広部（２２）が設けられたものであり、
上記の幅狭部（２１）の下端辺（２１ａ）が、上記の幅広部（２２）の上端辺（２２ａ）よりも下方に配位されたものであって、
上記の幅狭部（２１）は、左右両端辺に、上記の上着本体側分割部（１２）に対して結合及び分離可能な留め具（２３）を備え、
上記の幅広部（２２）は、上記の幅狭部（２１）よりも相対的に幅広に形成されたものであって、
上着本体（１）に取り付けられた際において、幅広部（２２）の上端辺（２２ａ）が、上着本体（１）において補助布（２）を取り付ける側の身頃（１１）の下端辺（１１ｃ）よりも上方に位置するものであり、
かつ、幅広部（２２）の下端辺（２２ｂ）が、抱かれた、あるいは背負われた状態にある乳児（Ｂ）の脚部の下端よりも下方に位置するものであることを特徴とする、育児期に適した上着。
【請求項２】
上記の幅狭部（２１）と幅広部（２２）とは、縫製により一体とされており、
幅狭部（２１）の下端辺（２１ａ）と幅広部（２２）の上端辺（２２ａ）との間において、幅狭部（２１）の左右両端辺が、幅広部（２２）に対して固定されない状態にあることを特徴とする、請求項１に記載の育児期に適した上着。
【請求項３】
上記の幅広部（２２）が、少なくとも前方片（２２１）と後方片（２２２）とを備えたものであって、
上記の前方片（２２１）と後方片（２２２）とが接続され、幅広部（２２）の底部及び左右両端部が閉鎖された袋状とされたことを特徴とする、請求項１に記載の育児期に適した上着。
【請求項４】
上着の前身頃（１１）における中央側端辺間に取り付けられるものであり、育児者（Ｍ）の身体前方において抱かれた乳児（Ｂ）を保護するための、育児用の補助布（２）において、
相対的に幅狭である幅狭部（２１）と、当該幅狭部（２１）の下方に設けられた、相対的に幅広である幅広部（２２）とを備え、
上記の幅狭部（２１）には、上着の前身頃（１１）に対して着脱可能とするための留め具（２３）を備えたことを特徴とする、育児用の補助布。
【発明の詳細な説明】
【技術分野】
【０００１】
本願発明は、母親などの育児者が乳児を身体前方にて抱いた状態、あるいは、身体後方にて背負った状態において、乳児を主に冷気から保護するための、育児期に適した上着及び育児用の補助布に関するものである。
【背景技術】
【０００２】
従来から、母親などの育児者が着用する上着、特に防寒上着として、一般に「ママコート」と呼ばれるものが存在している。これは、抱っこ具やおんぶ具を用いて、乳児を身体前方にて抱いた状態、あるいは、身体後方にて背負った状態としたまま育児者が着用できる上着であり、その一例として、特許文献１に記載のものが挙げられる。
【０００３】
これは、上着本体の後身頃（特許文献１の第２図参照）、あるいは、前身頃（特許文献１の第３図参照）が左右に分割されており、この分割された部分に対して、ジッパーなどにより着脱自在な補助布を挿入できるようにしたものであって、この補助布が存在する分幅方向寸法が広がるため、乳児を抱いたり背負った状態のままで上着を着用することができ、乳児を冷気から保護することができる。
【０００４】
更に、この補助布を取り払った場合には、育児者が乳児を伴わない状態で上着（上着本体）を着用することも可能とされているため、育児期が終わった後もそのまま上着を着用することができる。
【０００５】
【特許文献１】実開昭６０−１５２６１４号公報
【発明の開示】
【発明が解決しようとする課題】
【０００６】
しかし、特許文献１に記載の「ママコート」においては、補助布の下端辺の位置を上着本体の下端辺の位置に一致させているため、着丈の短い上着では、乳児の脚部が露出してしまい、乳児を冷気から完全に保護することができない場合があった。
【０００７】
上記のことから、従来の「ママコート」においては、例えばロングコートなどの、着丈が膝丈よりも長い上着にしか用いることができず、ショート丈のジャンバーやジャケットなどに用いることは難しかった。
【０００８】
本願発明はこのことに鑑み、ショート丈のジャンバーやジャケットなどにも用いることができ、乳児を冷気から完全に保護することができる、育児期に適した上着及び育児用の補助布を提供することを課題とする。
【課題を解決するための手段】
【０００９】
上記課題を解決するために、本願の請求項１に記載の発明は、乳児Ｂを育児者Ｍの身体前方にて抱いた状態、あるいは、身体後方にて背負った状態のまま着用できる、育児期に適した上着において、上着本体１と、この上着本体１へ着脱可能とされた補助布２とを備え、上記の上着本体１の前身頃１１と後身頃とのうち少なくとも一方には、上記の補助布２を挿入するために、上記身頃１１の左側片１１ａと右側片１１ｂとを結合及び分離可能とした上着本体側分割部１２を備え、上記の補助布２は、上方に幅狭部２１が、下方に幅広部２２が設けられたものであり、上記の幅狭部２１の下端辺２１ａが、上記の幅広部２２の上端辺２２ａよりも下方に配位されたものであって、上記の幅狭部２１は、左右両端辺に、上記の上着本体側分割部１２に対して結合及び分離可能な留め具２３を備え、上記の幅広部２２は、上記の幅狭部２１よりも相対的に幅広に形成されたものであって、上着本体１に取り付けられた際において、幅広部２２の上端辺２２ａが、上着本体１において補助布２を取り付ける側の身頃１１の下端辺１１ｃよりも上方に位置するものであり、かつ、幅広部２２の下端辺２２ｂが、抱かれた、あるいは背負われた状態にある乳児Ｂの脚部の下端よりも下方に位置するものであることを特徴とする、育児期に適した上着を提供する。
【００１０】
また、本願の請求項２に記載の発明は、上記の幅狭部２１と幅広部２２とは、縫製により一体とされており、幅狭部２１の下端辺２１ａと幅広部２２の上端辺２２ａとの間において、幅狭部２１の左右両端辺が、幅広部２２に対して固定されない状態にあることを特徴とする、請求項１に記載の育児期に適した上着を提供する。
【００１１】
また、本願の請求項３に記載の発明は、上記の幅広部２２が、少なくとも前方片２２１と後方片２２２とを備えたものであって、上記の前方片２２１と後方片２２２とが接続され、幅広部２２の底部及び左右両端部が閉鎖された袋状とされたことを特徴とする、請求項１に記載の育児期に適した上着を提供する。
【００１２】
また、本願の請求項４に記載の発明は、上着の前身頃１１における中央側端辺間に取り付けられるものであり、育児者Ｍの身体前方において抱かれた乳児Ｂを保護するための、育児用の補助布２において、相対的に幅狭である幅狭部２１と、当該幅狭部２１の下方に設けられた、相対的に幅広である幅広部２２とを備え、上記の幅狭部２１には、上着の前身頃１１に対して着脱可能とするための留め具２３を備えたことを特徴とする、育児用の補助布を提供する。
【発明の効果】
【００１３】
本願の請求項１に記載の発明は、補助布２が上着本体１に取り付けられた際において、幅広部２２の上端辺２２ａが、上着本体１において補助布２を取り付ける側の身頃１１の下端辺１１ｃよりも上方に位置するものであり、かつ、幅広部２２の下端辺２２ｂが、抱かれた、あるいは背負われた状態にある乳児Ｂの脚部の下端よりも下方に位置するものであることから、上着本体１から下方にはみ出した乳児Ｂの脚部を幅広部２２が覆うことができ、上着本体１がショート丈のジャンバーやジャケットである場合でも、乳児Ｂを冷気から完全に保護することができたものである。
【００１４】
また、本願の請求項２に記載の発明は、上記請求項１に記載の発明の効果に加え、幅狭部２１の下端辺２１ａと幅広部２２の上端辺２２ａとの間において、幅狭部２１の左右両端辺が、幅広部２２に対して固定されない状態にあることから、幅広部２２のうち、補助布２が取り付けられた身頃と重なり合う部分についても、この身頃の内側に容易に収めることができ、上着本体１に補助布２を簡単に取り付けることができたものである。
【００１５】
また、本願の請求項３に記載の発明は、上記請求項１に記載の発明の効果に加え、幅広部２２が袋状とされ、乳児Ｂの脚部がこの袋状の部分に入り込むことで、より確実に乳児Ｂの脚部を冷気から保護することができたものである。
【００１６】
また、本願の請求項４に記載の発明は、補助布２が幅広部２２を備えたことにより、上着の前身頃１１に補助布２が取り付けられた場合に、この上着がショート丈のジャンバーやジャケットである場合でも、乳児Ｂを冷気から保護することができたものである。
【発明を実施するための最良の形態】
【００１７】
以下、図面に基づき本願発明の実施の形態の一例をとりあげて説明する。図１及び図２は、本願発明の実施例に係る補助布を示し、図４は本願発明の実施例に係る上着本体及び上着の着用状態を示す。また、図６は本願発明の実施例に係る補助布の布地の組み合わせ方を示す。
【００１８】
本実施例に係る上着は、上着本体１と、この上着本体１へ着脱可能とされた補助布２とを備えたものである。
【００１９】
上着本体１の前身頃と後身頃とのうち少なくとも一方には、上記の補助布２を挿入するために、上記身頃の左側片と右側片とを結合及び分離可能とした上着本体側分割部１２を備える。本実施例においては、図４（Ａ）に示すように、この上着本体側分割部１２が前身頃１１における中央側端辺に設けられたジッパーとされているが、これに限定されたものではなく、例えば、ホック、ボタン、面ファスナーなど、上記身頃１１の左側片１１ａと右側片１１ｂの各々に設けられた一方側部分と他方側部分との着脱が可能なものであれば、ジッパー以外の種々の手段を採用することができる。
【００２０】
上着本体側分割部１２は、前身頃１１と後身頃とのいずれか一方に設けられたものであっても良いし、各身頃の両方に設けられたものであっても良い。なお、図４（Ａ）に示すように、前身頃１１に設けられた上着本体側分割部１２は、乳児Ｂを身体前方にて抱いた状態とする際に補助布２が挿入されて用いられる（図４（Ｂ）参照）。一方、後身頃に設けられた上着本体側分割部１２は、乳児を身体後方にて背負った状態とする際に補助布２が挿入されて用いられる。
【００２１】
なお、上着本体１としては、図４（Ａ）に示すようにごく一般的な前開きのジャンバーやジャケット、つまり、上着本体１の単独で上着として成立するものを用いることもでき、この場合には、上着本体側分割部１２が前身頃１１に設けられたものとして扱うことができる。ただし、このように一般的なジャンバーやジャケットを用いる際には、下記補助布２の幅広部２２を留めるためのホックなどの固定手段１３をユーザーが前身頃１１の内面に取り付けて用いることが望ましい（図４（Ｂ）参照）。
【００２２】
次に、本実施例における補助布２は、２枚の布地が組み合わされたものであって、そのうち上方に設けられた布地が幅狭部２１であり、下方に設けられた布地が幅広部２２である。具体的には、各布地が組み合わされた状態において、図１（Ａ）及び図２（Ａ）に示すような、平面視が逆Ｔ字形の形態とされており、幅狭部２１が、幅広部２２の略中央において接続されている。幅狭部２１の下端辺２１ａは、幅広部２２の上端辺２２ａよりも下方に配位されている。ただし、図３に示すように、平面視が逆Ｔ字形の形態とされた１枚の布地からなるものであっても良い。
【００２３】
この補助布２を構成する布地としては、乳児Ｂに冷気の冷たさが伝わらないように、厚手で通気性の低い布地を用いることが望ましい。
【００２４】
なお、補助布２を構成する各布地の組合わせ方は特に限定されるものではなく、例えば、図６（Ａ）に示したように、幅狭部２１と幅広部２２とを各々長方形の布地Ｃ１，Ｃ２として各々を縫い合わせたものや、図６（Ｂ）に示したように、幅狭部２１と幅広部２２のうち下半分とを一体の逆Ｔ字状の布地Ｃ３とし、幅広部２２のうち上半分を長方形の布地Ｃ４として各々を縫い合わせたものなど、種々の組合わせ方で実施できる。
【００２５】
また、本実施例における幅狭部２１と幅広部２２との接続は縫製によりなされている。なお、この接続は縫製以外の手段によりなされていても良く、例えばジッパーやホックにより、幅狭部２１と幅広部２２とが分離可能とされていても良い。このようにした場合は、さほど寒くない時期に着用する場合など、上着の着用状況に合わせて、補助布２の幅狭部２１のみを選択して上着本体１に取り付けることもでき、より使い勝手の良いものとできる。
【００２６】
上記の縫製による縫い目２４は、図１（Ａ）に示すように、幅狭部２１の左右側に平行に２本設けられたものとしても良いし、図２（Ａ）に示すように、幅狭部２１の下端辺に平行に１本設けられたものとしても良く、幅狭部２１に対して種々の位置に設けることができる。ただし、これらの縫い目２４は、幅狭部２１の左右両端辺には設けられていない。つまり、幅狭部２１の下端辺２１ａと幅広部２２の上端辺２２ａとの間において、幅狭部２１の左右両端辺は、例えば図１（Ｂ）や図２（Ｂ）に示すように幅広部２２に対して固定されない状態で、幅広部２２から浮き上った、いわゆる「持ち出し」の仕様とされている。これにより、上着本体１の上着本体側分割部１２と幅狭部２１の留め具２３とを結合させる際にも幅広部２２が邪魔になることがなく、幅広部２２のうち前身頃１１と重なり合う部分についても、前身頃１１の内側に容易に収めることができる。
【００２７】
幅狭部２１は、左右両端辺に、上着本体１において補助布２を取り付ける側の身頃（本実施例では前身頃１１）における上着本体側分割部１２に対して結合及び分離可能な留め具２３を備えている。本実施例においては、上記のように、上着本体１における上着本体側分割部１２がジッパーとされていることから、留め具２３もこれに合わせてジッパーとされており、上着本体１への補助布２の着脱が容易とされている。また、上記と同様にして、上着本体側分割部１２は、例えば、ホック、ボタン、面ファスナーなどの種々の手段によって実施可能であるため、この留め具２３も上着本体側分割部１２に一致するようにして変更が可能である。
【００２８】
幅広部２２は、上記の幅狭部２１よりも相対的に幅広に形成されたものであって、本実施例においては、補助布２が上着本体１に取り付けられた際において、上端辺２２ａが、上着本体１において補助布２を取り付ける側の身頃（本実施例では前身頃１１）の下端辺１１ｃよりも上方に位置する。つまり、上着本体１に補助布２が取り付けられた際にあっても、図４（Ｂ）や図５（Ａ）に示すように、幅広部２２の上側部分と上着本体１の前身頃１１の一部とが重なり合った状態となるため、ここに隙間ができて冷気が侵入する可能性が小さい。
【００２９】
ただし、補助布２を図３に示すような１枚物とした場合には、幅広部２２の上端辺２２ａが、図５（Ｂ）に示すように、上着本体１の身頃の下端辺１１ｃとほぼ一致することとなるが、上記のような隙間の発生を許容する場合には、このような形態で補助布２を形成しても良い。
【００３０】
なお、この幅広部２２の表面における上方角部には、ホックや面ファスナーなどの固定手段２５が設けられており、これに対応して上着本体１の身頃内面側に設けられた固定手段１３に取り付けられることにより、幅広部２２がめくれて隙間ができてしまうことがないようにされている。
【００３１】
一方、幅広部２２の下端辺２２ｂは、補助布２が上着本体１に取り付けられた際において、抱かれた状態にある乳児Ｂの脚部の下端よりも下方に位置するものとされている。具体的には、幅狭部２１の下端辺から幅広部２２の下端辺２２ｂまでの寸法が２０〜４０cmとされており、着用時において幅広部２２の下端辺２２ｂが育児者Ｍのひざ上辺りに配位される。
【００３２】
また、幅広部２２の幅寸法は、乳児Ｂの脚部を覆うことのできる寸法であれば良く、特に限定されるものではない。よって、育児者Ｍの腰周りの全周にわたって配位できる寸法として実施しても良い。
【００３３】
本実施例においては、幅広部２２が図１（Ｃ）に示すように平坦な布地とされているが、この他に、図１（Ｄ）に示すように、幅広部２２が少なくとも前方片２２１と後方片２２２とを備えたものであって、これら前方片２２１と後方片２２２とが接続され、底部及び左右両端部が閉鎖された袋状とされたものであっても良い。このように幅広部２２を袋状とすることにより、この部分に乳児Ｂの脚部を納めることができるため、より確実に乳児Ｂの脚部を冷気から保護することができる。なお、上記の前方片２２１と後方片２２２との間に別の布地を取り付けて襠を形成したものであっても良い。
【図面の簡単な説明】
【００３４】
【図１】本願発明の一実施例に係る補助布を示し、（Ａ）は平面図、（Ｂ）はＡ−Ａ矢視の断面図、（Ｃ）はＢ−Ｂ矢視の断面図であり、（Ｄ）は、他の実施例に係る補助布を示すもので、前記Ｂ−Ｂ矢視に相当する断面図である。
【図２】本願発明の他の実施例に係る補助布を示し、（Ａ）は平面図、（Ｂ）はＣ−Ｃ矢視の断面図である。
【図３】本願発明の他の実施例に係る補助布を示す平面図である。
【図４】（Ａ）は本願発明の一実施例に係る上着本体を示し、（Ｂ）は上着本体に補助布を取り付けた上着の着用状態を示す説明図である。
【図５】上着本体と補助布との位置関係を示す縦断面視の説明図であり、（Ａ）は図１（Ａ）に示した補助布を取り付けたもの、（Ｂ）は図３に示した補助布を取り付けたものである。
【図６】（Ａ）（Ｂ）とも、本願発明の一実施例に係る補助布の布地の組み合わせ方を示す概略図である。
【符号の説明】
【００３５】
１      上着本体
１１    前身頃
１１ａ  前身頃の左側片
１１ｂ  前身頃の右側片
１１ｃ  身頃の下端辺
１２    上着本体側分割部
２      補助布
２１    幅狭部
２１ａ  幅狭部の下端辺
２２    幅広部
２２ａ  幅広部の上端辺
２２ｂ  幅広部の下端辺
２２１  幅広部の前方片
２２１  幅広部の後方片
２３    留め具
Ｂ      乳児
Ｍ      育児者
【図１】
2008045252.tif 000003
【図２】
2008045252.tif 000004
【図３】
2008045252.tif 000005
【図４】
2008045252.tif 000006
【図５】
2008045252.tif 000007
【図６】
2008045252.tif 000008